(57)【特許請求の範囲】
【請求項１】
行灯本体の行灯脚体上に載置される火袋内に配置して、回転される回転筒体の周壁に表示されている図柄等を火袋に発光体によって投影するようにした行灯において、回転筒体を回転させ、発光体を点滅させるようにした回転発光装置を火袋に内装して行灯脚体上に取り付けて成り、回転発光装置は、筒状の機構ボックスと、行灯脚体の台座部に固定するよう機構ボックスの下部に設けた固定体と、機構ボックス内に設けられた回転駆動体と、周囲を照明するよう機構ボックスの上部に設けられたＬＥＤの如き発光素子を点滅させる発光体と、この発光体を覆うようにして、回転駆動体の回転されるピボット軸に支持されている回転筒体とを備えて成ることを特徴とする行灯。
【請求項２】
固定体は、機構ボックスの底部に固定されていて、機構ボックス底部から外出する雄ネジ部を有し、雄ネジ部は、行灯脚体の台座部に貫挿されて台座部の下方に外出された状態で、台座部下方から固定ネジがねじ込み固定されるようにしてある請求項１に記載の行灯。
【請求項３】
スイッチ操作体は、スイッチに当接するスイッチ操作端を上部に、固定体における筒状の雄ネジ部に貫挿外出するスイッチ押圧端を下部に備えていて、機構ボックスの上下方向に沿って配されて機構ボックス内でスライドするスイッチ操作アームと、このスイッチ操作アームのスイッチ押圧端を雄ネジ部からの外出傾向に弾発付勢する復帰バネとを備えている請求項１または２に記載の行灯。
【請求項４】
機構ボックスには、回転駆動体を駆動させ、発光体を点滅させる電源を収納する電源収納部を設け、回転駆動体の駆動、発光体の点滅をＯＮ―ＯＦＦするスイッチを操作するスイッチ操作体を内蔵してある請求項１乃至３のいずれかに記載の行灯。
【請求項５】
回転駆動体は、機構ボックス内の上部に固定されたモーターと、機構ボックス内の下部側に固定した電源収納部とを機構ボックス内で上下方向に沿って配してある請求項１乃至４のいずれかに記載の行灯。
【発明の詳細な説明】
【技術分野】
【０００１】
本発明は，例えば盆時に、あるいは法要時等に仏前等に置かれ、周辺を照らすに際し、影絵風に投影される図柄を走馬灯のように変化回転させるようにし、また各種のイベント時の照明装置として、更には照明広告装置等としても利用可能にした行灯に関する。
【背景技術】
【０００２】
従来から、走馬灯のように図柄を順次に回転させて変化させる回転行灯として，例えば特許文献１にあるような二重回転提灯、行灯又はぼんぼり、特許文献２にあるような行灯等が提案されている。特許文献１の二重回転提灯は、照明灯として使用する白熱電球の灯具から発生上昇する暖気流を受けて回転させるように回転翼を備えた投光用内筒を回転させ、この投光用内筒に表示してある図柄を周囲の火袋に投影させるとする。特許文献２の行灯は、灯具として使用するＬＥＤでは暖気流が生じないために、内筒を回転させる回転台座を基体部に設け、この回転台座上に内筒をセットし、回転台座を介して内筒を回転させることで周囲の火袋に投影させるとする。
【先行技術文献】
【特許文献】
【０００３】
【特許文献１】実開昭５８−０７９９０６号公報
【特許文献２】特許第５８５２２８３号公報
【発明の概要】
【発明が解決しようとする課題】
【０００４】
特許文献１による二重回転提灯等では、白熱電球を使用するから、発生する暖気流が周囲をも暖めてしまい，場合によってはその高熱化によって火災が発生する危険性があるばかりでなく、近時では新たな白熱電球自体が提供されなくなりつつある。また特許文献２の行灯では、ＬＥＤを灯具とすることで安全性と長寿命化とが図れるも、内筒を回転させるための回転台座構成は、基体部にモーターを組み込む必要があり、それによって基体部が大型化し、構造的にも複雑になるものであった。
【０００５】
そこで本発明は叙上のような従来存した諸事情に鑑み創出されたもので、灯具としてＬＥＤの如き発光素子を使用して安全性と長寿命化とが図れるばかりでなく、周囲の火袋に所定の図柄を投影させる回転筒体の回転構成を簡素化し、軽量に構成される回転筒体を円滑に回転できるようにし、しかも灯具構成、回転構成等の各部材を一体的構造としてコンパクトに纏めることによってこの種の行灯を容易に構成でき、また各種の照明装置、及びその照明源としても利用できるようにした行灯を提供することにある。
【課題を解決するための手段】
【０００６】
上述した課題を解決するため、本発明にあっての行灯は、行灯本体１の行灯脚体２上に載置される火袋５内に配置して、回転される回転筒体３５の周壁３７に表示されている図柄等を火袋５に投影するようにした行灯において、回転筒体３５を回転させる回転駆動体１５と、ＬＥＤの如き発光素子２３を点滅させる発光体２１とを機構ボックス１１に設けて成る回転発光装置１０を行灯脚体２上に取り付け、火袋５に内装したことを特徴とする。
回転発光装置１０は、筒状の機構ボックス１１と、行灯脚体２の台座部３に固定するよう機構ボックス１１の下部に設けた固定体１２と、機構ボックス１１内に設けられた回転駆動体１５と、周囲を照明するよう機構ボックス１１の上部に設けられた発光体２１と、この発光体２１を覆うようにして、回転駆動体１５の回転されるピボット軸３３に支持されている回転筒体３５とを備えて構成することができる。
機構ボックス１１には、回転駆動体１５を駆動させ、発光体２１を点滅させる電源を収納する電源収納部１８を設けて構成することができる。
機構ボックス１１は、回転駆動体１５の駆動、発光体２１の点滅をＯＮ―ＯＦＦするスイッチ１９を操作するスイッチ操作体２５を内蔵して構成することができる。
固定体１２は、機構ボックス１１の底部に固定されていて、機構ボックス１１底部から外出する雄ネジ部１３を有し、雄ネジ部１３は、行灯脚体２の台座部３に貫挿されて台座部３の下方に外出された状態で、台座部３下方から固定ネジ１４がねじ込み固定されるようにして構成することができる。
回転駆動体１５は、機構ボックス１１内の上部に固定されたモーター１６と、機構ボックス１１内の下部側に固定した電源収納部１８とを機構ボックス１１内で上下方向に沿って配して構成することができる。
発光体２１は、機構ボックス１１の上端部に適宜固定されている素子基盤２４上に適数で配列されて点滅するＬＥＤの如き発光素子２３から構成することができる。
発光体２１は、ドーム状に形成されて機構ボックス１１の上部に固定されている透光性ある覆い筒２２と、この覆い筒２２内に配されて覆い筒２２全体を内部から照明点滅するＬＥＤの如き発光素子２３とから構成することができる。
スイッチ操作体２５は、スイッチ１９に当接するスイッチ操作端２７を上部に、固定体１２における筒状の雄ネジ部１３に貫挿外出するスイッチ押圧端２８を下部に備えていて、機構ボックス１１の上下方向に沿って配されて機構ボックス１１内でスライドするスイッチ操作アーム２６と、このスイッチ操作アーム２６のスイッチ押圧端２８を雄ネジ部１３からの外出傾向に弾発付勢する復帰バネ３１とを備えて構成することができる。
回転筒体３５は、上部に配した筒枠部３６に、図柄その他が表示されて透光性素材によって形成された周壁３７を設けて構成することができ、また、前記回転駆動体１５によって回転されるピボット軸３３上端に載置させて発光体２１を覆った状態で支持されて構成することができる。
筒枠部３６に設けた梁部３８を、覆い筒２２に貫挿させたピボット軸３３上端の瘤状部に嵌め合わせてピボット軸３３に回転筒体３５を支持して構成することができる。
また、本発明にあっての回転発光装置１０は、筒状の機構ボックス１１と、適宜箇所に固定するよう機構ボックス１１の下部に設けた固定体１２と、機構ボックス１１内に設けられた回転駆動体１５と、周囲を照明するよう機構ボックス１１の上部に設けられた発光体２１と、回転駆動体１５の駆動及び発光体２１の点滅をＯＮ―ＯＦＦするスイッチ操作体２５とを備えることを特徴とする。
機構ボックス１１には、回転駆動体１５の駆動及び発光体２１の点滅用の電源を収納する電源収納部１８を設けて構成することができる。
発光体２１を覆うようにして、回転駆動体１５によって回転されるピボット軸３３に支持されている回転筒体３５を設けて構成することができる。
【０００７】
以上のように構成された本発明に係る行灯にあって、行灯本体１における火袋５に内装した回転発光装置１０は、回転駆動体１５の駆動によって回転筒体３５を回転させ、発光体２１における発光素子２３は覆い筒２２を経て回転筒体３５を内方から照射し、回転筒体３５の周壁３７に表示されている図柄等を火袋５に走馬灯のように投影させる。
回転発光装置１０は、行灯本体１の火袋５に図柄等を回転させながら照射するよう、回転駆動体１５、発光体２１、回転筒体３５等を機構ボックス１１に関連してコンパクトに纏めて一体状にされており、また機構ボックス１１に設けた固定体１２によって例えば行灯本体１に簡単に取り付けさせる。
また、機構ボックス１１に設けた電源収納部１８の電源の利用で、外部からの電源を使用することなく回転発光装置１０自体において、回転駆動体１５による回転筒体３５の回転動、発光体２１の発光作用を実現させる。
固定体１２は、機構ボックス１１の底部から外出する雄ネジ部１３を行灯脚体２の台座部３に貫挿させて台座部３下方からねじ込み固定される固定ネジ１４によって行灯本体１にしっかりと取り付け固定させる。
回転駆動体１５は、モーター１６の駆動力で、覆い筒２２に貫挿させてあるピボット軸３３を回転させ、このピボット軸３３に載置され、瘤状部に嵌め合わせて支持された回転筒体３５を円滑に回転させ、その周壁３７に表示してある図柄等を火袋５に投影移動させる。
発光体２１は、覆い筒２２が発光素子２３を外部環境から保護しており、そして発光素子２３による発光作用を透光性ある覆い筒２２を経て、機構ボックス１１の周囲で回転される回転筒体３５を内方から照射し、周壁３７に表示されている図柄等を火袋５に投影させる。
【発明の効果】
【０００８】
本発明は以上説明したように構成されているため、行灯本体１に配装した場合、回転発光装置１０における回転駆動体１５の駆動によって回転筒体３５を回転させ、発光体２１における発光素子２３の発光作用によって覆い筒２２を経て回転筒体３５を内方から照射し、周壁３７に表示されている図柄等を火袋５に走馬灯のように投影させることができる。しかも、回転発光装置１０では、回転駆動体１５、発光体２１は機構ボックス１１に関連して一体状に構成されていることでコンパクトに纏められており、行灯本体１における照明のみならず各種の照明器具における回転投影部材として役立てることができる。
【０００９】
これはすなわち、本発明において、行灯本体１の火袋５内に配置して図柄等を火袋５に投影するに際し、回転筒体３５を回転させる回転駆動体１５と、ＬＥＤの如き発光素子２３を点滅させる発光体２１とを機構ボックス１１に設けた回転発光装置１０を行灯脚体２上に取り付け、火袋５に内装したからであり、これによって、行灯としての安全性、長寿命化を図り、取り扱いも容易であり、しかも行灯本体１に簡単に内装固定できていることで、例えば盆時、法要時等での厳かな雰囲気を醸し出すことができる至便性が得られる。
【００１０】
また、回転発光装置１０は、機構ボックス１１、機構ボックス１１の下部に設けた固定体１２、機構ボックス１１内に設けられた回転駆動体１５、周囲を照明するよう機構ボックス１１の上部に設けられた発光体２１、回転駆動体１５の駆動及び発光体２１の点滅をＯＮ―ＯＦＦするスイッチ操作体２５を備えていることで、行灯本体１に取り付けることはもとより、各種の照明器具の照明源として例えばイベント会場で、また広告照明用として利用できる。更には、発光体２１を覆うようにして、回転駆動体１５によって回転、支持されている回転筒体３５をセットすることで、回転移動する図柄等を投影して一層の興趣に富んだ簡易な照明装置として活用でき、また単独でも使用できる。
【００１１】
機構ボックス１１に、回転駆動体１５の駆動及び発光体２１の点滅用の電源を収納する電源収納部１８を設けることで、回転発光装置１０はもとより、この回転発光装置１０を組み込んだ行灯自体を外部電源を用いることなく、いわゆるコードレスで使用でき、使用場所、設置個所に制限されない。しかも、軽量な回転筒体３５の回転駆動、発光素子２３の発光作用のいずれも小電力で済むことで、電源自体も小容量で対応でき、コードレスでも長時間にわたっての使用を可能にする。
【００１２】
機構ボックス１１に、回転駆動体１５、発光体２１の電源収納部１８及びこれらのＯＮ―ＯＦＦを操作するスイッチ操作体２５を内蔵してあることで、回転駆動、発光作用等の操作を容易にすることができる。
【００１３】
機構ボックス１１の底部に固定されている固定体１２は、機構ボックス１１底部から外出する雄ネジ部１３が、行灯脚体２の台座部３に貫挿されて台座部３の下方に外出された状態で固定ネジ１４がねじ込み固定されるようにしてあることで、行灯本体１にしっかり固定できるばかりでなく、回転発光装置１０における回転駆動体１５による回転筒体３５の回転作動を円滑にすることができる。
【００１４】
機構ボックス１１の上部に設けられた発光体２１は、素子基盤２４上に配列されて透光性の覆い筒２２内で点滅する発光素子２３によって覆い筒２２全体を内部から照明するようにしてあることで、覆い筒２２を経てこの覆い筒２２の周囲で回転する回転筒体３５を照射させることができる。
【００１５】
スイッチ操作体２５は、回転駆動体１５の回転駆動、発光体２１の発光作用をＯＮ―ＯＦＦするスイッチ１９に当接するスイッチ操作端２７を上部に、固定体１２における筒状の雄ネジ部１３に貫挿外出するスイッチ押圧端２８を下部に備えていて、機構ボックス１１の上下方向に沿って配され、機構ボックス１１内でスライドするスイッチ操作アーム２６と、このスイッチ操作アーム２６のスイッチ押圧端２８を雄ネジ部１３からの外出傾向に弾発付勢する復帰バネ３１とを備えていることで、例えば行灯脚体２の台座部３の下方からのスイッチ押圧端２８に対する押圧操作で回転筒体３５の回転、発光照射を機構ボックス１１の外部から簡単に制御操作できる。
【００１６】
回転筒体３５は、上部に配した筒枠部３６に、図柄その他が表示されて透光性素材によって形成された周壁３７を設けてあることで軽量に構成でき、また回転駆動体１５のピボット軸３３上端に載置させて発光体２１を覆った状態で支持されることで、ピボット軸３３の回転に伴い、発光体２１を囲む状態で回転し、発光体２１からの照射で例えば火袋５に周壁３７に表示されている図柄等を投影させることができる。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明を実施するための一形態を示す行灯全体の断面図である。
【図２】同じく回転発光装置の断面図を含む行灯の要部断面図である。
【図３】同じく回転発光装置の分解斜視図である。
【発明を実施するための形態】
【００１９】
以下、図面を参照して本発明を実施するための一形態を説明すると、図において示される符号１は行灯本体であり、この行灯本体１は、図示例のように床面その他に載置するための行灯脚体２、この行灯脚体２上に立脚連結されて火袋５を支持する火袋支持枠６、火袋支持枠６に連結される提げ手部９等から構成されている。火袋５は、例えば下枠７によって火袋支持枠６の下端に取り付けられ、上枠８を火袋支持枠６の上部に引っ掛けることによって連繋されて伸長状態で支持され、内部から照明されるようにしてある。
【００２０】
そして、火袋５内には、この火袋５に、適宜な図柄その他を投影照射して照明する回転発光装置１０が配装されており、この回転発光装置１０は行灯脚体２における複数の脚部４を底部に固定支持している台座部３に取り付けられている。
【００２１】
回転発光装置１０は、図示のように、筒状の機構ボックス１１と、台座部３に固定するよう機構ボックス１１の下部に設けた固定体１２と、機構ボックス１１内に設けられた回転駆動体１５と、周囲を照明するよう機構ボックス１１の上部に設けられた発光体２１とを備え、また、発光体２１を覆うようにして、回転駆動体１５によって回転されるピボット軸３３に回転筒体３５が支持されるようにして成る。
【００２２】
図例にあっての機構ボックス１１は、円筒状に形成されていて、回転駆動体１５、発光体２１、及びこれらの電源である例えば乾電池・充電池等を収納するボックス状の電源収納部１８、後述するモーター１６及び発光素子２３をＯＮ―ＯＦＦするスイッチ１９を操作するスイッチ操作体２５等を内部に収納している。
【００２３】
尚、図示を省略したが、回転駆動体１５、発光体２１の電源として、外部電源を使用することも可能であり、また、外部電源を使用する場合には、これに接続するコード・ケーブル等にスイッチを配することもできる。
【００２４】
固定体１２は、機構ボックス１１の底部に固定されていて、機構ボックス１１底部から外出する雄ネジ部１３を有する段筒状に形成されている。雄ネジ部１３は、行灯脚体２における台座部３の例えば中央に開口されている固定孔に貫挿されることで台座部３の下方に外出され、この外出された状態で、台座部３下方から固定ネジ１４がねじ込み固定されることにより機構ボックス１１自体が台座部３上にしっかりと立脚状に固定保持されるようにしている。
【００２５】
回転駆動体１５は、機構ボックス１１内の上部に固定されたモーター１６と、このモーター１６の電源である例えば乾電池等を収納するよう機構ボックス１１内の下部側に設けられた電源収納部１８とを、機構ボックス１１内で上下方向に沿って配して成り、モーター１６の出力軸１７を機構ボックス１１の上方に向けてある。なお、電源収納部１８内の乾電池等は、機構ボックス１１の外周壁に設けられているボックス蓋（図示を省略）によって開閉されることで交換されるようになっている。
【００２６】
また、発光体２１は、上部に至るに伴い次第に窄まり状となるドーム状に形成されて機構ボックス１１の上部に固定されている透光性ある、例えばいわゆる半透明状の覆い筒２２と、この覆い筒２２内に配されて、前記乾電池等を電源として発光するようにしたＬＥＤの如き発光素子２３とから成る。発光素子２３は、機構ボックス１１の上端部に適宜固定されている例えばドーナツ盤状の素子基盤２４上に適数で配列されていて覆い筒２２全体を内部から照明するようにしている。尚、発光素子２３は覆い筒２２内に配されることで、覆い筒２２によって外部環境から保護されることになり、また覆い筒２２を介して外部に照射することでその照射作用を和らげ、ひいては火袋５に投影する図柄等に落ち着いた印象を与えることができる。
【００２７】
これらの回転駆動体１５におけるモーター１６、発光素子２３をＯＮ―ＯＦＦする前記スイッチ１９は、例えば前記固定体１２の下方から例えばプッシュする前記のスイッチ操作体２５によって操作できるようにしてある。
【００２８】
このスイッチ操作体２５は、図示のように、機構ボックス１１の上部に配したスイッチ１９を行灯脚体２側から遠隔操作するもので、例えば素子基盤２４に配した自己復帰式のスイッチ１９に当接するスイッチ操作端２７を上部に、固定体１２における筒状の雄ネジ部１３に貫挿外出するスイッチ押圧端２８を下部に備えていて、機構ボックス１１の上下方向に沿って配されて機構ボックス１１内でスライドするスイッチ操作アーム２６と、このスイッチ操作アーム２６のスイッチ押圧端２８を雄ネジ部１３からの外出傾向に弾発付勢する復帰バネ３１とを備えて成る。
【００２９】
図示例にあってのスイッチ操作アーム２６は、機構ボックス１１内のほぼ中央位置に配された電源収納部１８を回避するように機構ボックス１１の外周壁内側面に沿って配置されていて、スイッチ押圧端２８の押圧時に機構ボックス１１の上下方向に沿って円滑にスライドされるようにしている。また、スイッチ操作アーム２６の下部は、クランク状に折曲されていることでスイッチ押圧端２８に連続していると共に、下部に形成したフランジ状のスライド部２９が段筒状の固定体１２における大径部内でスライドすることで、スイッチ操作アーム２６自体のスライドの円滑性と操作安定性とが得られるようにしている。
【００３０】
復帰バネ３１は、スイッチ押圧端２８の直上位置のクランク部分と前記電源収納部１８底面との間に縮小状態で介在させてあることで、スイッチ押圧端２８に対する押圧、その復帰が円滑に操作できるようにしてある。
【００３１】
前記回転筒体３５は、上部に配した所定径の円枠状の筒枠部３６に、図柄その他が表示されて透光性素材、例えば適宜肉厚のフィルム材によって形成された周壁３７を設けることで、軽量に形成されている。この回転筒体３５は、筒枠部３６に架装した梁部３８を備えており、前記モーター１６の出力軸１７に一体状に連結されていて、前記発光体２１における覆い筒２２に貫挿させたピボット軸３３上端に形成した瘤状部に梁部３８によって載置されることで、発光体２１を覆った状態で支持されるようになっている。こうすることで、軽量に形成された回転筒体３５は、回転駆動体１５の回転駆動と共に回転されるピボット軸３３によって発光体２１の周囲で回転され、内部に位置する発光体２１によって回転筒体３５の周壁３７に照射された図柄等が火袋５に、走馬灯のように投影されるようにしている。
【００３２】
また、図示例のように、筒枠部３６に設けた梁部３８を、覆い筒２２に貫挿させたピボット軸３３上端の瘤状部に嵌め合わせてピボット軸３３に回転筒体３５を支持することで、ピボット軸３３の回転にほぼ同期して回転筒体３５を確実に回転できるようにしている。尚、ピボット軸３３は、覆い筒２２のほぼ中心位置に貫挿配置されており、また覆い筒２２に貫挿支持させることで、ピボット軸３３をぶれることなく安定的に回転させるのに役立つ。
【００３３】
尚、この回転筒体３５として、発熱電球から生じる暖気流によって回転されるようになっている風車機構を有する従来の筒状の回転風車をそのまま利用することもできる。
【００３４】
また、この回転筒体３５は、図示を省略したが、例えば発光体２１における覆い筒２２を回転駆動体１５によって回転するように例えばモーター１６の出力軸１７によって回転されるように形成すると共に、この回転する覆い筒２２に回転筒体３５を支持させることもできる。更には、回転筒体３５を出力軸１７に直接に連繋支持させることで回転させるようにすることも可能である、
【００３５】
このようにして，機構ボックス１１、固定体１２、回転駆動体１５、発光体２１、更には回転筒体３５等から成る回転発光装置１０は、図示のような行灯本体１の内部に取り付け、組み込まれる場合に限らず、提灯、雪洞その他に取り付けることもでき、また、各種のイベント会場に配される照明装置、その他の広告照明装置、インテリアとしての照明装置における照明源として、また単独で使用することも可能である。更には、機構ボックス１１内に電源を装備する、いわゆるコードレスとすることで、外部電源を利用できない場所でも使用でき、電源による制約を受けずに自由に使用可能にする。
【００３６】
回転発光装置１０を行灯本体１に取り付けるには、例えば折り畳んだ状態の火袋５を行灯脚体２の台座部３上に載置し、火袋５の下枠７を火袋支持枠６の下端に固定しておいて、回転発光装置１０の固定体１２を台座部３に貫挿させて雄ネジ部１３を下方に外出させる。この外出させた雄ネジ部１３に固定ネジ１４をねじ込み固定して、回転発光装置１０自体を行灯脚体２に取り付ける。次いで、回転発光装置１０上部から外出しているピボット軸３３の上端に、所定の図柄等が表示されている回転筒体３５を載置し、伸長させた火袋５の上枠８を火袋支持枠６の上部に支持固定する。その後、固定体１２の下方に外出するスイッチ押圧端２８を操作することで、ＯＮ―ＯＦＦされる回転駆動体１５による回転筒体３５の回転、発光体２１による点滅によって火袋５には所定の図柄が走馬灯のように投影表示される。
【符号の説明】
【００３７】
１…行灯本体
２…行灯脚体
３…台座部
４…脚部
５…火袋
６…火袋支持枠
７…下枠
８…上枠
９…提げ手部
１０…回転発光装置
１１…機構ボックス
１２…固定体
１３…雄ネジ部
１４…固定ネジ
１５…回転駆動体
１６…モーター
１７…出力軸
１８…電源収納部
１９…スイッチ
２１…発光体
２２…覆い筒
２３…発光素子
２４…素子基盤
２５…スイッチ操作体
２６…スイッチ操作アーム
２７…スイッチ操作端
２８…スイッチ押圧端
２９…スライド部
３１…復帰バネ
３３…ピボット軸
３５…回転筒体
３６…筒枠部
３７…周壁
３８…梁部
【要約】
【課題】灯具としてＬＥＤを使用して安全性と長寿命化とを図り、火袋に図柄等を投影させる回転筒体の回転構成を簡素化し、これらをコンパクトに纏められるようにする。
【解決手段】行灯本体１の行灯脚体２上に載置する火袋５内に配置して、回転筒体３５の周壁３７に表示してある図柄等をＬＥＤの如き発光素子２３によって火袋５に投影する。回転筒体３５の回転駆動体１５と、発光素子２３を点滅させる発光体２１とを機構ボックス１１に設けた回転発光装置１０を火袋５に内装する。回転発光装置１０は、筒状の機構ボックス１１と、台座部３に固定するよう機構ボックス１１の下部に設けた固定体１２と、機構ボックス１１内に設けた回転駆動体１５と、周囲を照明するよう機構ボックス１１の上部に設けた発光体２１と、更にはこの発光体２１を覆うようにして、回転駆動体１５によって回転するピボット軸３３に支持した回転筒体３５とを備える。
【選択図】図１【図１】
0006940082.tif 000002
【図２】
0006940082.tif 000003
【図３】
0006940082.tif 000004